(57)【要約】  廊下（１６）と区切られている患者の部屋（１２）がある医療施設において使用される患者看護装置である。装置は、用品容器（５０、１２０）を有するキャビネット（３０、５０、７０；１２０）と、患者の部屋（１２）と廊下（１６）との間に形成された開口に配置される部分（３０、５０、７０；１２０）と）を含む。キャビネット（３０、５０、７０；１２０）は、患者の部屋（１２）から利用可能な第一側面と、廊下（１６）から利用可能な第二側面とを有する。通信部分（７０）は病院のコンピュータネットワーク（１０８）に接続されて、部屋（１２）の中の水栓（３６、３８）の作動、患者データの収集、用品の使用、及び用品カート（１１８）の収集の少なくとも一つを指示する信号を受信するように構成されている。移動用品カート（１１８）は在庫管理データが入力される用品データ管理ユニット（１８４）と、医療施設のコンピュータネットワーク（１０８）へ在庫管理データを送信して、ネットワーク（１０８）から用品補給指示を受信するように構成されたトランシーバ（１８２）とを含む。
2005514080.tif 000002
【特許請求の範囲】
【請求項１】
廊下と区切られている患者の部屋がある医療施設において使用される患者看護装置であって、
前記装置は、用品容器を有するキャビネットと患者の前記部屋と前記廊下との間に形成された開口に配置される部分とを含み、
前記キャビネットは、患者の前記部屋から利用することができる第一側面と、前記廊下から利用することができる第二側面とを有する。
【請求項２】
請求項１に記載の装置であって、
前記キャビネットは、前記第一側面に結合している第一ドアと、前記第二側面に結合している第二ドアとを有する用品容器を含み、
前記第一ドアは、患者の前記部屋の中から前記用品容器を利用することを可能にする位置と利用を制限する位置とに移動可能であり、
前記第二ドアは、前記廊下から前記用品容器を利用することを可能にする位置と利用を制限する位置とに移動可能である。
【請求項３】
請求項１に記載の装置であって、
用品を保持するための複数のコンパートメントを有する運搬引出しユニットを更に含み、
前記用品容器は、前記運搬引出しユニットを収納する寸法を有する。
【請求項４】
請求項３に記載の装置であって、
前記運搬引出しユニットは、前記運搬引出しユニットを前記キャビネットに結合するための保持器を含む。
【請求項５】
請求項４に記載の装置であって、
前記保持器は、前記運搬引出しユニットを病院用ベッドのフットボードに結合する鉤状部分を含む。
【請求項６】
請求項１に記載の装置であって、
用品を保持する複数のコンパートメントを有する前記運搬引出しユニットと、前記運搬引出しユニットを収納する寸法を有する開口部を有する移動用品カートとを更に含む。
【請求項７】
請求項６に記載の装置であって、
前記運搬引出しユニットは、前記運搬引出しユニットを前記移動用品カートに結合するための保持器を含む。
【請求項８】
請求項１に記載の装置であって、
前記キャビネットは、前記第一側面に結合している第一ドアと、前記第二側面に結合している第二ドアとを有する廃棄物容器を含み、
前記第一ドアは、患者の前記部屋の中から前記廃棄物容器の利用を制限する位置と利用することを可能にする位置とに移動可能であり、
前記第二ドアは、前記廊下から前記廃棄物容器を利用することを制限する位置と利用を可能にする位置とに移動可能である。
【請求項９】
請求項１に記載の装置であって、
患者の前記部屋と前記廊下とを一部区切る壁に隣接して配置されているモニタを含む通信部分を更に含み、
前記モニタは、前記壁に面していない位置と前記壁に面する位置とに移動可能である。
【請求項１０】
廊下とは区切られている病院の部屋で使用する、病院のコンピュータネットワークと通信する規格型用品管理装置であって、
前記装置は、
患者医療用品を保持するための容器を含む用品部分と、
病院の前記コンピュータネットワークに結合して、用品データを受信して前記用品データを前記コンピュータネットワークに送信するように構成された通信部分と
を含み、
前記用品部分は、前記部屋と前記廊下との間の開口に少なくとも部分的に配置され、
前記容器は前記廊下から利用することができる。
【請求項１１】
請求項１０に記載の装置であって、
前記容器は前記部屋から利用することができる。
【請求項１２】
請求項１０に記載の装置であって、
前記通信部分は、用品データソースから前記用品データを受信する用品データ受信機を含む。
【請求項１３】
請求項１２に記載の装置であって、
前記用品データソースは、介護者が手動で入力した前記用品データを受信するように構成された手動入力装置を含む。
【請求項１４】
請求項１３に記載の装置であって、
前記手動入力装置は、病院のコンピュータネットワークに結合しているキーボードを含む。
【請求項１５】
請求項１３に記載の装置であって、
前記手動入力装置は、病院のコンピュータネットワークに結合しているタッチスクリーンを含む。
【請求項１６】
請求項１０に記載の装置であって、
前記用品データソースは、用品の有無の少なくとも一つを自動的に検出して前記用品データを受信する自動用品センサを含む。
【請求項１７】
請求項１６に記載の装置であって、
前記自動用品センサは、前記容器の中の用品の存在或いは欠如の少なくとも一つを検出する近接センサを含む。
【請求項１８】
請求項１６に記載の装置であって、
前記自動用品センサは、前記容器の中の用品の重量か欠如の少なくとも一つを検出する重量センサを含む。
【請求項１９】
請求項１６に記載の装置であって、
前記自動用品センサはバーコードリーダを含む。
【請求項２０】
請求項１０に記載の装置であって、
前記通信部分は、
前記部屋と前記廊下との間の壁に設けられた窓と、
前記部屋の内側を向く向きと、前記廊下を向く向きとに移動可能な表示端末装置とを含む。
【請求項２１】
請求項２０に記載の装置であって、
前記表示端末装置は前記部屋の外に配置され、前記廊下から利用することができる。
【請求項２２】
請求項２０に記載の装置であって、
前記表示端末装置は前記壁の一側面に回動可能に取り付けられて、
回動可能な取付け（pivotal mount）は、前記表示端末装置を前記部屋の内側を向く向きと前記廊下を向く向きとに動くように、介護者により前記壁の反対側から作動可能である。
【請求項２３】
請求項１０に記載の装置であって、
病院の前記コンピュータネットワークに結合して、前記用品データを前記コンピュータネットワークから受信するように構成された移動用品カートを更に含む。
【請求項２４】
請求項２３に記載の装置であって、
用品を保持するためのコンパートメントを含む運搬引出しユニットを更に含み、
前記移動用品カートは前記運搬引出しユニットに結合するように構成されている。
【請求項２５】
請求項２３に記載の装置であって、
前記移動用品カートは、前記コンピュータネットワークへ用品データを送信して、前記コンピュータネットワークから前記用品データを受信する無線トランシーバを含む。
【請求項２６】
患者の部屋用の規格型ワークセルであって、
前記規格型ワークセルは、第一流し部分と、第二用品及び廃棄物容器部分と、第三通信部分とを含み、
前記第一、第二、及び第三部分は互いに結合して一体型ユニットを形成する。
【請求項２７】
請求項２６に記載の装置であって、
前記ワークセルは患者の前記部屋の中の壁と協調して機能するように構成され、
前記用品容器は、患者の前記部屋の中から利用することができる第一側面と患者の前記部屋の外から利用することができる第二側面とを含む。
【請求項２８】
請求項２６に記載の装置であって、
前記第三部分は、病院のコンピュータネットワークと患者監視装置とに結合している。
【請求項２９】
請求項２６に記載の装置であって、
前記第二部分は前記第三部分に結合されて、前記第三部分は用品データを受信するように構成されている。
【請求項３０】
請求項２６に記載の装置であって、
前記第一部分は前記第三部分に結合されて、
前記第三部分は介護者の活動データを受信するように構成されている。
【請求項３１】
請求項３０に記載の装置であって、
前記介護者活動データは手洗いデータ（hand-washing data）を含む。
【請求項３２】
請求項２６に記載の装置であって、
前記第三部分は、患者の前記部屋の中を、そして前記部屋から外が見える窓を含む。
【請求項３３】
請求項３２に記載の装置であって、
前記窓は透明の状態と不透明の状態とに変更可能である。
【請求項３４】
請求項２７に記載の装置であって、
用品を運ぶコンパートメントを含む移動用品カートを更に含み、
前記移動用品カートは用品データ受信機を含む。
【請求項３５】
医療施設の用品管理システムで使用するための移動用品カートであって、
前記移動用品カートは用品を運ぶように構成されて、
前記移動用品カートは、
在庫管理データが入力される用品データ管理ユニットと、
前記在庫管理データを前記医療施設のコンピュータネットワークに送信して前記ネットワークから送信される用品補給指示を受信するように構成された、カートに保持されるトランシーバと
を含む。
【請求項３６】
請求項３５に記載の装置であって、
患者医療用品を運ぶように構成されている運搬引出しハウジングを含む運搬引出しユニットを更に含む。
【請求項３７】
請求項３６に記載の装置であって、
前記運搬引出しユニットは、前記運搬引出しハウジングの上部に結合されたハンドルを含む。
【請求項３８】
請求項３６に記載の装置であって、
前記運搬引出しユニットは前記運搬引出しハウジングに結合されたフックを少なくとも一つ含み、
少なくとも一つの前記フックは前記移動用品カートの一部に係合するのに適応して、前記運搬引出しユニットを前記移動用品カートに結合する。
【請求項３９】
請求項３６に記載の装置であって、
前記移動用品カートは、前記運搬引出しユニットを中に収納する開口部を含む。
【請求項４０】
医療施設で使用される一セットの装置であり、
前記一セットの装置は、コンピュータと、流しを含むワークセルと、手洗いデータを前記コンピュータに伝達する手洗い監視システムとを含む。
【請求項４１】
患者の部屋にある患者医療用品を管理する方法であって、
前記方法では、
医療用品を収納するための用品キャビネットを設け、
前記キャビネットの中の医療用品の量を監視して用品データを取得して、
前記用品データをコンピュータに送信して、
前記コンピュータを使用して前記用品データから再供給に必要な量を計算して、
再供給に必要な量に基づいて前記キャビネットに医療用品を発送する。
【請求項４２】
請求項４１に記載の方法であって、
再供給に必要な量に基づいて前記キャビネットに医療用品を発送することは、前記部屋へ用品を運ぶ移動用品カートを設けることを含む。
【請求項４３】
請求項４２に記載の方法であって、
前記移動用品カートを設けることは、前記移動用品カートに受信機を設けて前記用品データを受信することを含む。
【請求項４４】
請求項４２に記載の方法であって、
前記移動用品カートに再供給に必要な量を送信することを更に含む。
【請求項４５】
請求項４１に記載の方法であって、
用品キャビネットを設けることは、
前記部屋の少なくとも一部を画定する壁に少なくとも部分的に配置された用品キャビネットを設け、
前記キャビネットに、前記部屋の中及び外から利用可能な容器を設ける
ことを含む。
【請求項４６】
請求項４１に記載の方法であって、
前記医療用品の量を監視することは、前記医療用品の量を自動的に検知する用品センサを設けることを含む。
【請求項４７】
医療施設の患者の部屋における介護者の活動を監視する方法であって、
前記方法では、
第一信号の形で介護者活動データを受信して、
前記第一信号を前記受信機へ送信して、
介護者に送信バッジを提供して、
前記バッジを使用して前記バッジが患者の前記部屋にある時には前記受信機に第二信号を送信する
ことを含み、
前記第一信号は、水栓の作動、患者データの収集、用品の使用、及び用品データの収集の少なくとも一つを表す。
【請求項４８】
請求項４７に記載の方法であって、
前記第一信号を送信することは、介護者が前記水栓を作動したときに前記第一信号を自動的に送信することを含む。
【請求項４９】
請求項４７に記載の方法であって、
前記第一信号を送信することは、介護者がバーコードリーダを用いて用品の量を測定したときに前記第一信号を送信することを含む。
【請求項５０】
請求項４７に記載の方法であって、
前記第一信号を送信することは、前記介護者が用品データを、コンピュータのタッチスクリーン、キーパッド、及びキーボードの少なくとも一つに手動で入力するときに、前記第一信号を送信することを含む。
【請求項５１】
請求項４７に記載の方法であって、
前記第一信号を送信することは、介護者が患者監視装置を用いて患者データを収集するときに前記第一信号を送信することを含む。
【請求項５２】
医療施設で使用する用品管理システムであって、
前記用品管理システムは、
病院用ベッドと、
空間を備えるように形成されたキャビネットと、
複数の運搬引出しユニットと
を含み、
各運搬引出しユニットは、患者医療用品を運び前記空間に収納されるように構成され、
各運搬引出しユニットは、前記運搬引出しユニットを病院の前記ベッドに選択的に結合して病院の前記ベッドとともに搬送される特徴を含む。
【請求項５３】
請求項５２に記載の用品管理システムであって、
前記キャビネットは、患者の部屋の中にある第一側面と前記第一側面の反対側にあり患者の前記部屋の外にある第二側面とを含み、
前記空間は、前記第一側面に結合された第一ドアと前記第二側面に結合された第二ドアとを有する用品容器を含み、
前記第一ドアは、患者の前記部屋の中から前記用品容器の利用を可能にする位置と、利用を制限する位置とに移動可能であり、
前記第二ドアは、患者の前記部屋の外から前記用品容器の利用を可能にする位置と、利用を制限する位置とに移動可能である。
【請求項５４】
請求項５２に記載の用品管理システムであって、
各々の前記運搬引出しユニットは、前記患者医療用品を保持するための複数のコンパートメントを含む。
【請求項５５】
請求項５２に記載の用品管理システムであって、
各々の前記運搬引出しユニットは、前記運搬引出しユニットを前記キャビネットに選択的に結合するという特徴を含む。
【請求項５６】
請求項５５に記載の用品管理システムであって、
前記運搬引出しユニットを前記キャビネットに選択的に結合するための特徴は、前記運搬引出しユニットを病院の前記ベッドのフットボードに結合する鉤状部分を含む。
【請求項５７】
請求項５２に記載の用品管理システムであって、
前記患者医療用品を搬送する移動用品カートを更に含み、
前記移動用品カートは、運搬引出しユニットを収納する寸法を有する開口部を少なくとも一つ有する。
【請求項５８】
請求項５７に記載の用品管理システムであって、
各運搬引出しユニットは、前記運搬引出しユニットを前記移動用品カートに選択的に結合するための特徴を含む。
【請求項５９】
請求項５２に記載の用品管理システムであって、
前記キャビネットは、前記部屋の中にある第一側面と前記第一側面の反対側にある第二側面と、廃棄物容器とを含み、
前記キャビネットは、
前記第一側面に結合している第一ドアと、
前記第二側面に結合している第二ドアとを有し、
前記第一ドアは、患者の前記部屋の中から前記廃棄物容器を利用することを可能にする位置と、利用を制限する位置とに移動可能であり、
前記第二ドアは、前記部屋の外から前記廃棄物容器を利用することを制限する位置と、利用を可能にする位置とに移動可能である。
【請求項６０】
医療施設の用品管理システムで使用する運搬引出しユニットであって、
前記運搬引出しユニットは、
患者医療用品を運ぶように構成されたハウジングと、
前記ハウジングの扱いを容易にするハンドルと、
前記運搬引出しユニットを病院の前記ベッドに選択的に結合する、病院用ベッドの一部に係合するように適応した特徴を少なくとも一つ含む。
【請求項６１】
請求項６０に記載の運搬引出しユニットであって、
前記ハウジングは、患者医療用品を保持するための複数のコンパートメントを形成する内壁を少なくとも一つ含む。
【請求項６２】
請求項６１に記載の運搬引出しユニットであって、
少なくとも一つのコンパートメントを選択的に閉じるように前記ハウジングにドアが結合されている。
【請求項６３】
請求項６０に記載の運搬引出しユニットであって、
前記運搬引出しユニットの少なくとも一つの特徴は、前記運搬引出しユニットを前記キャビネットに結合するように、キャビネットに係合するのに適応している。
【請求項６４】
請求項６０に記載の運搬引出しユニットであって、
前記運搬引出しユニットの少なくとも一つの特徴は、前記運搬引出しユニットを前記移動用品カートに結合して前記移動用品カートを共に搬送するように、移動用品カートの一部に係合するのに適応している。
【請求項６５】
廊下と区切られている患者の部屋がある医療施設で用品を管理する方法であって、
前記方法では、
前記廊下の第一開口を介してキャビネットに用品を設けて、
患者の前記部屋の第二開口を介して前記キャビネットに設けられた前記用品を利用することができることを含む。
【請求項６６】
請求項６５に記載の方法であって、
前記方法では、
前記廊下の第一ドアを開いて、前記第一開口を利用可能として、
患者の前記部屋の第二ドアを開いて、前記第二開口を利用することができるようにする。
【請求項６７】
請求項６６に記載の方法であって、
前記廊下の第一開口から用品を供給することは、
複数のコンパートメントを有する運搬引出しユニットを設け、
少なくとも一つのコンパートメントに用品を置き、
前記第一開口を介して前記運搬引出しユニットを設ける
ことを含む。
【請求項６８】
請求項６７に記載の方法であって、
前記運搬引出しユニットを前記キャビネットに結合することを含む。
【請求項６９】
請求項６８に記載の方法であって、
前記運搬引出しユニットを前記キャビネットに結合することは、前記キャビネットと病院用ベッドのフットボードとに選択的に結合されるように構成された鉤状部分を前記運搬引出しユニットに設けることを含む。
【請求項７０】
請求項６５に記載の方法であって、
前記廊下の第一開口を介してキャビネットの中に用品を供給することは、
前記用品を保持するための複数のコンパートメントを有する運搬引出しユニットに用品を設けて、
前記運搬引出しユニットを収納する寸法を備えた開口部を有する移動用品カートの前記第一開口部に前記運搬引出しユニットを搬送する
ことを含む。
【請求項７１】
請求項７０に記載の方法であって、
前記運搬引出しユニットを収納する寸法を備えた開口部を有する移動用品カートの前記第一開口部に前記運搬引出しユニットを搬送することは、
前記運搬引出しユニットを前記移動用品カートに結合するための保持器を前記運搬引出しユニットに付加することを含む。
【請求項７２】
請求項６５に記載の方法であって、
キャビネットに第一及び第二開口を設けることは、
第一ドアと第二ドアとを有する廃棄物容器を備えたキャビネットに第一及び第二開口を設けて、
前記第一ドアを、患者の前記部屋の中から前記廃棄物容器を利用することを制限する位置と、患者の前記部屋の中から前記廃棄物容器を利用することを可能にする位置とに動かし、
前記第二ドアを、前記廊下から前記廃棄物容器を利用することを制限する位置と、前記廊下から前記廃棄物容器を利用することを可能にする位置に動かす
ことを含む。
【請求項７３】
請求項６５に記載の方法であって、
患者の前記部屋と前記廊下とを一部区切る壁に隣接して配置されているモニタを、前記壁に面していない位置と前記壁に面する位置とに動かすことを含む。
【請求項７４】
病院のコンピュータネットワークと連絡して病院の部屋の用品管理をする方法であって、
前記方法では、
前記部屋と前記廊下との間に開口を設けて、
前記開口に、前記廊下から利用することが可能で患者医療用品を保持するための容器と、病院の前記コンピュータネットワークに結合して、前記用品データを受信して前記用品データを前記コンピュータネットワークに送信するように構成された通信部分とを設置する。
【請求項７５】
請求項７４に記載の方法であって、
前記開口に、前記廊下から利用が可能で患者医療用品を保持するための容器と病院の前記コンピュータネットワークに結合している通信部分とを設置することは、
前記開口に、前記廊下と前記部屋から利用が可能で患者医療用品を保持するための容器と病院の前記コンピュータネットワークに結合している通信部分とを設置することである。
【請求項７６】
請求項７４に記載の方法であって、
病院の前記コンピュータネットワークに結合して、用品データを受信して前記用品データを前記コンピュータネットワークに送信するように構成されている通信部分を前記開口に設置することは、
前記開口に、用品データソースから前記用品データを受信するように構成された用品データ受信機を設置することを含む。
【請求項７７】
請求項７６に記載の方法であって、
前記開口に、用品データソースから用品データを受信するように構成された用品データ受信機を設置することは、
前記開口に、介護者が手動で入力した用品データを受信するように構成された手動入力装置から前記用品データを受信するように構成された用品データ受信機を、設置することを含む。
【請求項７８】
請求項７７に記載の方法であって、
前記開口に、手動入力装置から前記用品データを受信するように構成された用品データ受信機を設置することは、
前記開口に、病院のコンピュータネットワークに結合されているキーボードを設置することを含む。
【請求項７９】
請求項７７に記載の方法であって、
前記開口に、手動入力装置から前記用品データを受信するように構成された用品データ受信機を設置することは、
前記開口に、病院のコンピュータネットワークに結合されているタッチスクリーンを設置することを含む。
【請求項８０】
請求項７６に記載の方法であって、
前記開口に、用品データソースから用品データを受信するように構成された用品データ受信機を設置することは、
前記開口に、用品の存在或いは欠如の少なくとも一つを自動的に検知して、用品の存在或いは欠如の少なくとも一つを代表するデータを受信する自動用品センサを設置することである。
【請求項８１】
請求項８０に記載の方法であって、
前記開口に自動用品センサを設置することは、
前記開口に、前記容器の用品の存在或いは欠如の少なくとも一つを検出する近接センサを設置することを含む。
【請求項８２】
請求項８０に記載の方法であって、
前記開口に自動用品センサを設置することは、
前記開口に、少なくとも前記容器にある用品の重量或いは重量の欠如の一つを検出する重量センサを設置することを含む。
【請求項８３】
請求項８０に記載の方法であって、
前記開口に自動用品センサを設置することは、前記開口にバーコードリーダを設置することを含む。
【請求項８４】
請求項７４に記載の方法であって、
前記開口に、病院の前記コンピュータネットワークに結合されて、用品データを受信して前記用品データを前記コンピュータネットワークに送信するように構成されている通信部分を設置することは、
前記開口に、前記部屋と前記廊下との間にある窓を配置し、前記部屋の内側を向く向きと前記廊下を向く向きとに移動可能な表示端末装置とを設置することを含む。
【請求項８５】
請求項８４に記載の方法であって、
前記開口に、前記部屋の内側を向く向きと前記廊下を向く向きとに移動可能な表示端末装置を設置することは、
前記開口の中及び前記部屋の外に前記廊下から利用が可能な表示端末装置を設置することを含む。
【請求項８６】
請求項８４に記載の方法であって、
前記開口に、前記部屋の内側を向く向きと前記廊下を向く向きとに移動可能な表示端末装置を設置することは、
前記表示端末装置を前記壁のいずれかの側面から介護者が作動するために前記壁の一側面に回動可能に取り付けて、前記表示端末装置を前記部屋の内側を向く向きと前記廊下を向く向きとに動かすことを更に含む。
【請求項８７】
請求項７４に記載の方法であって、
移動用品カートを病院の前記コンピュータネットワークに結合して、前記コンピュータネットワークから前記用品データを前記移動用品カートにて受信することを更に含む。
【請求項８８】
請求項８７に記載の方法であって、
前記移動用品カートに、用品を保持するためのコンパートメントを含む運搬引出しユニットを結合することを更に含む。
【請求項８９】
請求項８７に記載の方法であって、
移動用品カートを病院の前記コンピュータネットワークに結合して、前記コンピュータネットワークから前記用品データを前記移動用品カートにて受信することは、
前記コンピュータネットワークからの用品データを前記移動用品カートに設けられた無線トランシーバに送信して、前記移動用品カートにて前記コンピュータネットワークから前記用品データを受信することを含む。
【請求項９０】
患者の部屋を提供する方法であって、
前記方法は、第一の流し部分と、第二の用品及び廃棄物容器部分と、第三の通信部分とを互いに結合して一体型ユニットを形成することを含む。
【請求項９１】
請求項９０に記載の方法であって、
前記第一の流し部分と、前記第二の用品及び廃棄物容器部分と、前記第三の通信部分とを互いに結合して一体型ユニットを形成することは、
患者の前記部屋の壁と協調して機能する第一、第二、及び第三部分を互いに結合することを含む。
【請求項９２】
請求項９１に記載の方法であって、
前記第一の流し部分と、前記第二の用品及び廃棄物容器部分と、前記第三の通信部分とを互いに結合することは、
前記第一の流し部分と、患者の前記部屋の中から利用可能な第一側面と患者の前記部屋の外から利用可能な第二側面とを有する第二の用品及び廃棄物容器部分と、第三の通信部分とを互いに結合することを含む。
【請求項９３】
請求項９０に記載の方法であって、
前記第一の流し部分と、前記第二の用品及び廃棄物容器部分と、前記第三の通信部分とを互いに結合することは、
前記第一の流し部分と、前記第二の用品及び廃棄物容器部分と、病院のコンピュータネットワーク及び患者監視装置に結合されている前記第三の通信部分とを結合することを含む。
【請求項９４】
請求項９０に記載の方法であって、
前記第一の流し部分と、前記第二の用品及び廃棄物容器部分と、前記第三の通信部分とを互いに結合することは、
前記第一の流し部分と、前記第二の用品及び廃棄物容器部分と、前記第三の通信部分とを互いに結合して、前記第二の部分から用品データを前記第三の部分にて受信することを含む。
【請求項９５】
請求項９０に記載の方法であって、
前記第一の流し部分と、前記第二の用品及び廃棄物容器部分と、前記第三の通信部分とを互いに結合することは、
前記第二の用品及び廃棄物容器部分と、前記第一の流し部分と、前記第三の通信部分とを互いに結合して、前記第一の部分から介護者の活動データを前記第三の部分で受信することを含む。
【請求項９６】
請求項９５に記載の方法であって、
前記第三の部分で前記第一の部分からの介護者の活動データを受信することは、前記第三の部分で前記第一の部分から手洗いデータを受信することを含む。
【請求項９７】
請求項９０に記載の方法であって、
前記第一の流し部分と、前記第二の用品及び廃棄物容器部分と、前記第三の通信部分とを互いに結合して一体型ユニットを形成することは、
前記第一の流し部分と、前記第二の用品及び廃棄物容器部分と、患者の前記部屋の中を、そして前記部屋から外を見るための窓を含む前記第三の部分とを互いに結合することを含む。
【請求項９８】
請求項９７に記載の方法であって、
前記第一の流し部分と、前記第二の用品及び廃棄物容器部分と、患者の前記部屋の中を、そして前記部屋から外を見るための窓を含む前記第三の部分とを互いに結合することは、
前記第一の部分と、前記第二の部分と、透明な状態と不透明な状態とに変化可能な窓を含む前記第三の部分とを互いに結合することを含む。
【請求項９９】
請求項９１に記載の方法であって、
移動用品カートにある用品データ受信機へ用品データを送信して、用品を運ぶコンパートメントを前記移動用品カートに設けることを更に含む。
【請求項１００】
医療施設内の用品管理システムの方法であって、
前記方法は、
移動用品カートで用品を運び、
用品データ管理ユニットに在庫管理データを入力して、
前記カートが保持するトランシーバを介して前記在庫管理データを前記医療施設のコンピュータネットワークに送信して、
前記ネットワークからの用品補給指示をトランシーバを介して受信することを含む。
【請求項１０１】
請求項１００に記載の方法であって、
患者医療用品を運搬引出しユニットで運ぶことを更に含む。
【請求項１０２】
請求項１０１に記載の方法であって、
前記移動用品カートで用品を運ぶことは、
前記運搬引出しユニットの中に入れて用品を運び、
前記移動用品カートの一部と係合することに適応したフックを少なくとも一つ前記運搬引出しユニットに設けて、
少なくとも一つの前記フックを前記移動用品カートに結合することを含む。
【請求項１０３】
請求項１０１に記載の方法であって、
前記移動用品カートで用品を運ぶことは、
前記運搬引出しユニットの中に入れて用品を運び、
前記移動用品カートに、前記運搬引出しユニットを収納する開口部を設けることを含む。
【請求項１０４】
コンピュータを含む医療施設を動作させる方法であって、
前記方法では、
流し及び手洗い監視システムを含むワークセルを設けて、
前記手洗い監視システムから前記コンピュータへ手洗いデータを伝達することを含む。
【請求項１０５】
病院用ベッドを含む医療施設の中の用品を管理する方法であって、
前記方法では、
患者医療用品を運ぶように構成された運搬引出しユニットを収納する空間を含むキャビネットを設けて、
複数の運搬引出しユニットを設けて、
各運搬引出しユニットに、前記移動引出しユニットを病院の前記ベッドに選択的に結合して病院の前記ベッドとともに搬送されるような特徴を設けることを含む。
【請求項１０６】
請求項１０５に記載の方法であって、
運搬引出しユニットを収納できる空間を含むキャビネットを設けることは、
前記医療施設の部屋の第一側面と前記第一側面の反対側の第二側面とを有するキャビネットを設けて、
前記第一側面に、患者の前記部屋の中から前記キャビネットの中の用品容器を利用することを可能にする位置と、利用を制限する位置とに移動可能な第一ドアを設けて、
前記第二側面に、前記部屋の外から前記用品容器を利用することを可能にする位置と、利用を制限する位置とに移動可能な第二ドアとを設けることを含む。
【請求項１０７】
請求項１０５に記載の方法であって、
複数の運搬引出しユニットを設けることは、前記患者医療用品を保持するための複数のコンパートメントをそれぞれ有する複数の運搬引出しユニットを設けることを含む。
【請求項１０８】
請求項１０５に記載の方法であって、
複数の運搬引出しユニットを設けることは、前記運搬引出しユニットを前記キャビネットに選択的に結合するための特徴をそれぞれ含む複数の運搬引出しユニットを設けることを含む。
【請求項１０９】
請求項１０８に記載の方法であって、
前記運搬引出しユニットを前記キャビネットに選択的に結合するための特徴をそれぞれ含む複数の運搬引出しユニットを設けることは、前記運搬引出しユニットを病院の前記ベッドのフットボードに選択的に結合するための鉤状部分をそれぞれ含む複数の前記運搬引出しユニットを設けることを含む。
【請求項１１０】
請求項１０５に記載の方法であって、
患者医療用品を搬送する運搬引出しユニットを収納する寸法を有する開口部を少なくとも一つ備えた移動用品カートを設けることを更に含む。
【請求項１１１】
請求項１１０に記載の方法であって、
各運搬引出しユニットに、前記運搬引出しユニットを前記移動用品カートに選択的に結合するための特徴を設けることを更に含む。
【請求項１１２】
請求項１０５に記載の方法であって、
キャビネットを設けることは、
前記部屋に第一側面と前記第一側面の反対側にある第二側面とを有するキャビネットを設け、
前記第一側面には、患者の前記部屋の中から廃棄物容器を利用することを可能にする位置と利用を制限する位置とに移動可能な第一ドアを設けて、
前記第二側面には、前記部屋の外から廃棄物容器を利用することを可能にする位置と利用を制限する位置とに移動可能な第二ドアを設けることを含む。
【請求項１１３】
医療施設の用品管理の方法であって、
前記方法では、
患者医療用品を運ぶように構成された運搬引出しユニットを設け、
前記運搬引出しユニットに、前記運搬引出しユニットを病院の前記ベッドに選択的に結合するように、病院用ベッドの一部に係合するのに適応した特徴を少なくとも一つ設ける
ことを含む。
【請求項１１４】
請求項１１３に記載の方法であって、
前記運搬引出しユニットを設けることは、患者医療用品を保持するための複数のコンパートメントを形成する内壁を少なくとも一つ含む前記運搬引出しユニットを設けることを含む。
【請求項１１５】
請求項１１４に記載の方法であって、
前記運搬引出しユニットを設けることは、前記コンパートメントの少なくとも一つを選択的に閉じるためのドアを設けることを含む。
【請求項１１６】
請求項１１３に記載の方法であって、
前記運搬引出しユニットに、病院用ベッドの一部に係合するのに適応した特徴を少なくとも一つ設けることは、
前記運搬引出しユニットに、前記運搬引出しユニットを前記キャビネットに結合するように前記キャビネットに係合するのに適応した特徴を少なくとも一つ設けることを含む。
【請求項１１７】
請求項１１３に記載の方法であって、
前記運搬引出しユニットに、病院用ベッドの一部に係合するのに適応した特徴を少なくとも一つ設けることは、
前記運搬引出しユニットに、前記運搬引出しユニットを前記移動用品カートに結合して前記運搬引出しユニットをともに運搬するために、前記移動用品カートに係合するのに適応した特徴を少なくとも一つ設けることを含む。
【発明の詳細な説明】
【技術分野】
【０００１】
本発明は、患者を看護するための装置及び方法に関する。患者医療施設においての使用が開示されているが、他の適用例においても有効な場合もある。
【背景技術】
【０００２】
健康管理産業では、質の高い健康管理が患者に提供されるときの効率がますます重要になってきている。医療施設及び患者の部屋の設計のほぼ全側面が、健康管理を提供する効率に影響を及ぼしている。患者に質の高い健康管理を提供するために、用品キャビネット、廃棄物コンテナ、コンピュータ端末或いはワークステーション、用品管理システム、介護者及び患者の監視システムなどの様々なシステムや装置が使用される。このような装置の設計、自動化の度合、機器相互の結合度合、及び配置は、健康管理がどれだけ効率的に提供されるかに影響する。
【０００３】
いくつかの作業では、介護者が患者の部屋にある程度頻繁に出入りする必要があり、その結果動きに無駄が生じる。このような無駄な動きにつながり、効率を低下させる作業の例としては、用品の点検、必要な補給品に関する情報の決定及び伝達、補給必要品の取得、及び補給品の供給などがある。非効率性の更なる原因としては、自動化されていない手段を通じて用品を取得したり部屋へ配達することに関連している。また他の非効率となる原因としては、部屋に用品を配達したり、部屋からゴミや他の物を探したり、部屋にあるコンピュータ、他の装置、或いは患者とやりとりするために、介護者が患者の部屋に入らなければならないことに関連する。また更に非効率性の原因は、用品を収納キャビネットと、例えば、ベッドにいる患者との間で運ぶ必要があるときに起きる。他にも非効率性の原因としては、介護者の活動に関する品質管理データを監視することを通じて提供する看護の質と効率を管理する難しさに関連するものがある。
【発明の開示】
【課題を解決するための手段】
【０００４】
本発明の一つの態様によると、
廊下と区切られている患者の部屋がある医療施設において使用される患者看護装置が提供される。  
その装置は、用品容器を備えたキャビネットと、患者の部屋と廊下との間に形成された開口に配置される容器部分とを含み、
前記キャビネットは、患者の部屋から利用可能な第一側面と、廊下から利用可能な第二側面とを有する。
【０００５】
本発明に例示するこの態様によると、
キャビネットは、第一側面に結合している第一ドアと、第二側面に結合している第二ドアとを有する用品容器を含み、
第一ドアは、患者の部屋の中から用品容器を利用することを可能にする位置及び利用を制限する位置とに移動可能であり、
第二ドアは、廊下から用品容器を利用することを可能にする位置と利用を制限する位置とに移動可能である。
【０００６】
本発明に例示するこの態様によると、
用品を保持するための複数のコンパートメントを有する運搬引出しユニットを更に含み、
用品容器は、運搬引出しユニットを収納する寸法を有する。
【０００７】
更に、本発明に例示するこの態様によると、
運搬引出しユニットは、運搬引出しユニットをキャビネットに結合するための保持器を含む。
【０００８】
本発明に例示するこの態様によると、
保持器は、運搬引出しユニットを病院用ベッドのフットボードに結合する鉤状部分を含む。
【０００９】
さらに本発明に例示するこの態様によると、
用品を保持する複数のコンパートメントを有する運搬引出しユニットと、運搬引出しユニットを収納する寸法を有する開口部を備えた移動用品カートとを更に含む。
【００１０】
本発明の例示するこの態様によると、
運搬引出しユニットは、運搬引出しユニットを移動用品カートに結合するための保持器を含む。
【００１１】
本発明に例示するこの態様によると、
キャビネットは、第一側面に結合している第一ドアと、第二側面に結合している第二ドアとを有する廃棄物容器を含み、
第一ドアは、患者の部屋の中から廃棄物容器を利用することを制限する位置と利用を可能にする位置とに移動可能であり、
第二ドアは、廊下から廃棄物容器を利用することを制限する位置と利用を可能にする位置とに移動可能である。
【００１２】
更に本発明に例示するこの態様によると、
患者の部屋と廊下とを一部区切る壁に隣接して配置されているモニタを含む通信部分を更に含み、
モニタは、壁に面していない位置と壁に面する位置とに移動可能である。
【００１３】
本発明の別の態様によると、
廊下と区切られている患者の部屋がある医療施設で用品を管理する方法であって、
その方法は、
廊下の第一開口を介してキャビネットに用品を設けて、
患者の部屋の第二開口を介してキャビネットに設けられた用品を利用可能であることを含む。
【００１４】
本発明に例示するこの態様によると、
前記方法では、
廊下の第一ドアを開いて、第一開口を利用可能にして、
患者の部屋の第二ドアを開いて、第二開口を利用可能にする。
【００１５】
更に本発明に例示するこの態様によると、
廊下の第一開口から用品を補給することは、
複数のコンパートメントを有する運搬引出しユニットを設け、
少なくとも一つのコンパートメントに用品を置き、
前記第一開口を介して運搬引出しユニットを設ける
ことを含む。
【００１６】
その上に本発明に例示するこの態様によると、
運搬引出しユニットをキャビネットに結合することを含む。
【００１７】
本発明に例示するこの態様によると、
運搬引出しユニットをキャビネットに結合することは、キャビネットと病院用ベッドのフットボードとに選択的に結合されるように構成された鉤状部分を運搬引出しユニットに設けることを含む。
【００１８】
更に本発明に例示するこの態様によると、
廊下の第一開口を介してキャビネットの中に用品を補給することは、
用品を保持するための複数のコンパートメントを有する運搬引出しユニットに用品を補給し、
運搬引出しユニットを収納する寸法を有する開口部を有する移動用品カートの第一開口部に運搬引出しユニットを搬送する
ことを含む。
【００１９】
その上に本発明に例示するこの態様によると、
運搬引出しユニットを収納する寸法を有する開口部を備えた移動用品カートの第一開口部に運搬引出しユニットを搬送することは、
運搬引出しユニットを移動用品カートに結合するための保持器を運搬引出しユニットに設けることを含む。
【００２０】
本発明に例示するこの態様によると、
キャビネットに第一及び第二開口を設けることは、
第一ドアと第二ドアとを有する廃棄物容器を備えたキャビネットに第一及び第二開口を設けて、
第一ドアを、患者の部屋の中から廃棄物容器を利用することを制限する位置と、患者の部屋の中から廃棄物容器を利用可能にする位置とに動かし、
第二ドアを、廊下から廃棄物容器を利用することを制限する位置と、廊下から廃棄物容器を利用することを可能にする位置に動かす
ことを含む。
【００２１】
更に本発明に例示するこの態様によると、
患者の部屋と廊下とを一部区切る壁に隣接して配置されているモニタを、壁に面していない位置と壁に面する位置とに動かすことを含む。
【００２２】
本発明の別の態様によると、
廊下とは区切られている病院の部屋で使用する、病院のコンピュータネットワークと連結している規格型用品管理装置であって、
その装置は、
患者医療用品を保持するための容器を含む用品部分と、
病院のコンピュータネットワークに結合して、用品データを受信して用品データをコンピュータネットワークに送信するように構成された通信部分と
を含み、
用品部分は、部屋と廊下との間の開口に少なくとも部分的に配置され、
容器は廊下から利用することができる。
【００２３】
本発明に例示するこの態様によると、
容器は部屋から利用することができる。
【００２４】
更に本発明に例示するこの態様によると、
通信部分は、用品データソースから用品データを受信する用品データ受信機を含む。
【００２５】
さらに本発明に例示するこの態様によると、
用品データソースは、介護者が手動で入力した用品データを受信するように構成された手動入力装置を含む。
【００２６】
本発明に例示するこの態様によると、
手動入力装置は、病院のコンピュータネットワークに結合しているキーボードを含む。
【００２７】
更に本発明に例示するこの態様によると、
手動入力装置は、病院のコンピュータネットワークに結合しているタッチスクリーンを含む。
【００２８】
その上に本発明に例示するこの態様によると、
用品データソースは、用品の有無の少なくとも一つを自動的に検出して用品データを受信する自動用品センサを含む。
【００２９】
本発明に例示するこの態様によると、
自動用品センサは、容器の中の用品の存在或いは欠如の少なくとも一つを検出する近接センサを含む。
【００３０】
更に本発明に例示するこの態様によると、
自動用品センサは、容器の中の用品の重量か欠如の少なくとも一つを検出する重量センサを含む。
【００３１】
その上に本発明に例示するこの態様によると、
自動用品センサはバーコードリーダを含む。
【００３２】
本発明に例示するこの態様によると、
通信部分は、
部屋と廊下との間の壁に設けられた窓と、
部屋の内側に面する配置と、廊下に面する配置とに移動可能な表示端末装置とを含む。
【００３３】
更に本発明に例示するこの態様によると、
表示端末装置は部屋の外に配置され、廊下から利用することができる。
【００３４】
その上に本発明に例示するこの態様によると、
表示端末装置は壁の一側面に枢着されて、
回動可能な台は、表示端末装置を部屋の内側に面する配置と廊下に面する配置とに動くように、介護者により壁の反対側から操作可能である。
【００３５】
更に本発明に例示するこの態様によると、
病院のコンピュータネットワークに結合して、用品データをコンピュータネットワークから受信するように構成された移動用品カートを更に含む。
【００３６】
更に本発明に例示するこの態様によると、
用品を保持するためのコンパートメントを含む運搬引出しユニットを更に含み、
移動用品カートは運搬引出しユニットに結合するように構成されている。
【００３７】
本発明に例示するこの態様によると、
移動用品カートは、コンピュータネットワークへ用品データを送信して、コンピュータネットワークから用品データを受信する無線トランシーバを含む。
【００３８】
本発明の更なる態様によると、
病院のコンピュータネットワークと連絡して病院の部屋の用品管理をする方法であって、
その方法では、
部屋と廊下との間に開口を設けて、
開口に、廊下から利用することが可能で患者医療用品を保持するための容器と、病院のコンピュータネットワークに結合して、用品データを受信して用品データをコンピュータネットワークに送信するように構成された通信部分とを設置する。
【００３９】
本発明に例示するこの態様によると、
開口に、廊下から利用することが可能で患者医療用品を保持するための容器と病院のコンピュータネットワークに結合している通信部分とを設置することは、
開口に、廊下と部屋から利用することが可能で患者医療用品を保持するための容器と病院のコンピュータネットワークに結合している通信部分とを設置することである。
【００４０】
更に本発明に例示するこの態様によると、
病院のコンピュータネットワークに結合して、用品データを受信して用品データをコンピュータネットワークに送信するように構成されている通信部分を開口に設置することは、
開口に、用品データソースから用品データを受信するように構成された用品データ受信機を設置することを含む。
【００４１】
その上に本発明に例示するこの態様によると、
開口に、用品データソースから用品データを受信するように構成された用品データ受信機を設置することは、
開口に、介護者が手動で入力した用品データを受信するように構成された手動入力装置から用品データを受信するように構成された用品データ受信機を、設置することを含む。
【００４２】
本発明に例示するこの態様によると、
開口に、手動入力装置から用品データを受信するように構成された用品データ受信機を設置することは、
開口に、病院のコンピュータネットワークに結合されているキーボードを設置することを含む。
【００４３】
更に本発明に例示するこの態様によると、
開口に、手動入力装置から用品データを受信するように構成された用品データ受信機を設置することは、
開口に、病院のコンピュータネットワークに結合されているタッチスクリーンを設置することを含む。
【００４４】
その上に本発明に例示するこの態様によると、
開口に、用品データソースから用品データを受信するように構成された用品データ受信機を設置することは、
開口に、用品の存在或いは欠如の少なくとも一つを自動的に検知して、用品の存在或いは欠如の少なくとも一つを代表するデータを受信する自動用品センサを設置することである。
【００４５】
本発明に例示するこの態様によると、
開口に自動用品センサを設置することは、
開口に、容器の用品の存在或いは欠如の少なくとも一つを検出する近接センサを設置することを含む。
【００４６】
更に本発明に例示するこの態様によると、
開口に自動用品センサを設置することは、
開口に、少なくとも容器にある用品の重量或いは重量の欠如の一つを検出する重量センサを設置することを含む。
【００４７】
その上に本発明に例示するこの態様によると、
開口に自動用品センサを設置することは、開口にバーコードリーダを設置することを含む。
【００４８】
本発明に例示するこの態様によると、
開口に、病院のコンピュータネットワークに結合されて、用品データを受信して用品データをコンピュータネットワークに送信するように構成されている通信部分を設置することは、
開口に、部屋と廊下との間にある窓と、部屋の内側に面する配置と廊下に面する配置とに移動可能な表示端末装置とを設置することを含む。
【００４９】
更に本発明に例示するこの態様によると、
開口に、部屋の内側に面する配置と廊下に面する配置とに移動可能な表示端末装置を設置することは、
開口の中及び部屋の外に廊下から利用することが可能な表示端末装置を設置することを含む。
【００５０】
その上に本発明に例示するこの態様によると、
開口に、部屋の内側に面する配置と廊下に面する配置とに移動可能な表示端末装置を設置することは、
表示端末装置を壁のいずれかの側面から介護者が操作するために壁の一側面に枢着させて、表示端末装置を部屋の内側に面する配置と廊下に面する配置とに動かすことを更に含む。
【００５１】
本発明に例示するこの態様によると、
移動用品カートを病院のコンピュータネットワークに結合して、コンピュータネットワークから用品データを移動用品カートにて受信することを更に含む。
【００５２】
更に本発明に例示するこの態様によると、
移動用品カートに、用品を保持するためのコンパートメントを含む運搬引出しユニットを結合することを更に含む。
【００５３】
その上に本発明に例示するこの態様によると、
移動用品カートを病院のコンピュータネットワークに結合して、コンピュータネットワークから用品データを移動用品カートにて受信することは、
コンピュータネットワークからの用品データを移動用品カートに設けられた無線トランシーバに送信して、移動用品カートにてコンピュータネットワークから用品データを受信することを含む。
【００５４】
本発明の更に別の態様によると、
患者の部屋用の規格型ワークセルであって、
規格型ワークセルは、第一の流し部分と、第二の用品及び廃棄物容器部分と、第三の通信部分とを含み、
第一、第二、及び第三の部分は互いに結合して一体型ユニットを形成する。
【００５５】
本発明に例示するこの態様によると、
ワークセルは患者の部屋の中の壁と協力するように構成され、
用品容器は、患者の部屋の中から利用可能な第一側面と患者の部屋の外から利用可能な第二側面とを含む。
【００５６】
更に本発明に例示するこの態様によると、
第三の部分は、病院のコンピュータネットワークと患者監視装置とに連結している。
【００５７】
その上に本発明に例示するこの態様によると、
第二の部分は第三の部分に結合されて、第三の部分は用品データを受信するように構成されている。
【００５８】
本発明に例示するこの態様によると、
第一の部分は第三の部分に結合されて、
第三の部分は介護者の活動データを受信するように構成されている。
【００５９】
本発明に例示するこの態様によると、
介護者活動データは手洗いデータを含む。
【００６０】
更に本発明に例示するこの態様によると、
第三の部分は、患者の部屋の中が見え、また患者の部屋から外が見える窓を含む。
【００６１】
その上に本発明に例示するこの態様によると、
窓は透明の状態と不透明の状態とに変更可能である。
【００６２】
更に本発明に例示するこの態様によると、
用品を運ぶコンパートメントを含む移動用品カートを更に含み、
移動用品カートは用品データ受信機を含む。
【００６３】
本発明の別の態様によると、
患者の部屋を提供する方法であって、
その方法では、第一の流し部分と、第二の用品及び廃棄物容器部分と、第三の通信部分とを互いに結合して一体型ユニットを形成することを含む。
【００６４】
本発明に例示するこの態様によると、
第一の流し部分と、第二の用品及び廃棄物容器部分と、第三の通信部分とを互いに結合して一体型ユニットを形成することは、
患者の部屋の壁と協力する第一、第二、及び第三の部分を互いに結合することを含む。
【００６５】
更に本発明に例示するこの態様によると、
第一の流し部分と、第二の用品及び廃棄物容器部分と、第三の通信部分とを互いに結合することは、
第一の流し部分と、患者の部屋の中から利用可能な第一側面と患者の部屋の外から利用可能な第二側面とを有する第二の用品及び廃棄物容器部分と、第三の通信部分とを互いに結合することを含む。
【００６６】
その上に本発明に例示するこの態様によると、
第一の流し部分と、第二の用品及び廃棄物容器部分と、第三の通信部分とを互いに結合することは、
第一の流し部分と、第二の用品及び廃棄物容器部分と、病院のコンピュータネットワーク及び患者監視装置に結合されている第三の通信部分とを結合することを含む。
【００６７】
本発明に例示するこの態様によると、
第一の流し部分と、第二の用品及び廃棄物容器部分と、第三の通信部分とを結合することは、
第一の流し部分と、第二の用品及び廃棄物容器部分と、第三の通信部分とを互いに結合して、第二の部分から用品データを第三の部分にて受信することを含む。
【００６８】
更に本発明に例示するこの態様によると、
第一の流し部分と、第二の用品及び廃棄物容器部分と、第三の通信部分とを互いに結合することは、
第二の用品及び廃棄物容器部分と、第一の流し部分と、第三の通信部分とを互いに結合して、第一の部分から介護者の活動データを第三の部分で受信することを含む。
【００６９】
その上に本発明に例示するこの態様によると、
第三の部分で第一の部分からの介護者の活動データを受信することは、第三の部分で第一の部分から手洗いデータを受信することを含む。
【００７０】
本発明に例示するこの態様によると、
第一の流し部分と、第二の用品及び廃棄物容器部分と、第三の通信部分とを互いに結合して一体型ユニットを形成することは、
第一の流し部分と、第二の用品及び廃棄物容器部分と、患者の部屋の中が見え、及び部屋から外を見るための窓を含む第三の部分とを互いに結合することを含む。
【００７１】
更に本発明に例示するこの態様によると、
第一の流し部分と、第二の用品及び廃棄物容器部分と、患者の部屋の中が見え、及び部屋から外を見るための窓を含む第三の部分とを互いに結合することは、
第一の部分と、第二の部分と、透明な状態と不透明な状態とに変化可能な窓を含む第三の部分とを互いに結合することを含む。
【００７２】
その上に本発明に例示するこの態様によると、
この方法は、移動用品カートにある用品データ受信機へ用品データを送信して、用品を運ぶコンパートメントを移動用品カートに設けることを更に含む。
【００７３】
本発明の更に別の態様によると、
医療施設の用品管理システムで使用するための移動用品カートであって、
移動用品カートは用品を運ぶように構成されて、
移動用品カートは、
在庫管理データが入力される用品データ管理ユニットと、
在庫管理データを医療施設のコンピュータネットワークに送信してネットワークから送信される用品補給指示を受信するように構成された、カートに保持されるトランシーバと
を含む。
【００７４】
本発明に例示するこの態様によると、
患者医療用品を運ぶように構成されている運搬引出しハウジングを含む運搬引出しユニットを更に含む。
【００７５】
本発明に例示するこの態様によると、
運搬引出しユニットは、運搬引出しハウジングの上部に結合されたハンドルを含む。
【００７６】
その上に本発明に例示するこの態様によると、
運搬引出しユニットは運搬引出しハウジングに結合されたフックを少なくとも一つ含み、
少なくとも一つのフックは移動用品カートの一部に係合するのに適応しており、運搬引出しユニットを移動用品カートに結合する。
【００７７】
本発明に例示するこの態様によると、
移動用品カートは、運搬引出しユニットを中に収納する開口部を含む。
【００７８】
本発明の更に別の態様によると、
医療施設内の用品管理システムの方法であって、
その方法では、
移動用品カートで用品を運び、
用品データ管理ユニットに在庫管理データを入力して、
カートが保持するトランシーバを介して在庫管理データを医療施設のコンピュータネットワークに送信して、
ネットワークからの用品補給指示を、トランシーバを介して受信することを含む。
【００７９】
本発明に例示するこの態様によると、
この方法では、患者医療用品を運搬引出しユニットで運ぶことを更に含む。
【００８０】
更に本発明に例示するこの態様によると、
移動用品カートで用品を運ぶことは、
運搬引出しユニットの中で用品を運び、
移動用品カートの一部と係合することに適応したフックを少なくとも一つ運搬引出しユニットに設けて、
少なくとも一つのフックを移動用品カートに結合することを含む。
【００８１】
その上に本発明に例示するこの態様によると、
移動用品カートで用品を運ぶことは、
運搬引出しユニットの中に入れて用品を運び、
移動用品カートに、運搬引出しユニットを収納する開口部を設けることを含む。
【００８２】
本発明の別の態様によると、
医療施設で使用される１セットの装置であり、
その１セットの装置は、コンピュータと、流しを含むワークセルと、手洗いデータをコンピュータに伝達する手洗い監視システムとを含む。
【００８３】
本発明の別の態様によると、
コンピュータを含む医療施設を動作させる方法であって、
その方法では、
流し及び手洗い監視システムを含むワークセルを設けて、
手洗い監視システムからコンピュータへ手洗いデータを伝達することを含む。
【００８４】
本発明の別の態様によると、
患者の部屋にある患者医療用品を管理する方法であって、
その方法では、
医療用品を収納するための用品キャビネットを設け、
キャビネットの中の医療用品の量を監視して用品データを取得して、
用品データをコンピュータに送信して、
コンピュータを使用して用品データから再供給に必要な量を計算して、
再供給に必要な量に基づいてキャビネットに医療用品を発送する。
【００８５】
本発明に例示するこの態様によると、
再供給に必要な量に基づいてキャビネットに医療用品を発送することは、部屋へ用品を運ぶ移動用品カートを設けることを含む。
【００８６】
本発明に例示するこの態様によると、
移動用品カートを設けることは、移動用品カートに受信機を設けて用品データを受信することを含む。
【００８７】
更に本発明に例示するこの態様によると、
移動用品カートに再供給に必要な量を送信することを更に含む。
【００８８】
その上に本発明に例示するこの態様によると、
用品キャビネットを設けることは、
部屋の少なくとも一部を画定する壁に少なくとも部分的に配置された用品キャビネットを設け、
キャビネットに、部屋の中及び外から利用可能な容器を設ける
ことを含む。
【００８９】
本発明に例示するこの態様によると、
医療用品の量を監視することは、医療用品の量を自動的に検知する用品センサを設けることを含む。
【００９０】
本発明の別の態様によると、
医療施設の患者の部屋における介護者の活動を監視する方法であって、
その方法では、
第一の信号の形で介護者活動データを受信して、
第一の信号を受信機へ送信して、
介護者に送信バッジを提供して、
バッジを使用してバッジが患者の部屋にある時には受信機に第二の信号を送信する
ことを含み、
第一の信号は、水栓の作動、患者データの収集、用品の使用、及び用品データの収集の少なくとも一つを指示する。
【００９１】
本発明に例示するこの態様によると、
第一の信号を送信することは、介護者が水栓を作動したときに第一の信号を自動的に送信することを含む。
【００９２】
更に本発明に例示するこの態様によると、
第一の信号を送信することは、介護者がバーコードリーダを用いて用品の量を測定したときに第一の信号を送信することを含む。
【００９３】
その上に本発明に例示するこの態様によると、
第一の信号を送信することは、介護者が用品データを、コンピュータのタッチスクリーン、キーパッド、及びキーボードの少なくとも一つに手動で入力するときに、第一の信号を送信することを含む。
【００９４】
本発明に例示するこの態様によると、
第一の信号を送信することは、介護者が患者監視装置を用いて患者データを収集するときに第一の信号を送信することを含む。
【００９５】
本発明の別の態様によると、
医療施設で使用する用品管理システムであって、
用品管理システムは、
病院用ベッドと、
空間を含んで形成されたキャビネットと、
複数の運搬引出しユニットと
を含み、
各運搬引出しユニットは、患者医療用品を運び空間に収納されるように構成され、
各運搬引出しユニットは、運搬引出しユニットを病院用ベッドに選択的に結合して病院用ベッドとともに搬送されるための特徴を含む。
【００９６】
本発明に例示するこの態様によると、
キャビネットは、患者の部屋の中にある第一側面と第一側面の反対側にあり患者の部屋の外にある第二側面とを含み、
空間は、第一側面に結合された第一ドアと第二側面に結合された第二ドアとを有する用品容器を含む。
【００９７】
第一ドアは、患者の部屋の中から用品容器を利用することを可能にする位置と、利用することを制限する位置とに移動可能である。
【００９８】
第二ドアは、患者の部屋の外から用品容器を利用することを可能にする位置と、利用することを制限する位置とに移動可能である。
【００９９】
更に本発明に例示するこの態様によると、
各々の運搬引出しユニットは、患者医療用品を保持するための複数のコンパートメントを含む。
【０１００】
その上に本発明に例示するこの態様によると、
各々の運搬引出しユニットは、運搬引出しユニットをキャビネットに選択的に結合する特徴を含む。
【０１０１】
本発明に例示するこの態様によると、
運搬引出しユニットをキャビネットに選択的に結合するための特徴は、運搬引出しユニットを病院用ベッドのフットボードに結合する鉤状部分を含む。
【０１０２】
更に本発明に例示するこの態様によると、
患者医療用品を搬送する移動用品カートを更に含み、
移動用品カートは、運搬引出しユニットを収納する寸法を有する開口部を少なくとも一つ備える。
【０１０３】
その上に本発明に例示するこの態様によると、
各運搬引出しユニットは、運搬引出しユニットを移動用品カートに選択的に結合するための特徴を含む。
【０１０４】
本発明に例示するこの態様によると、
キャビネットは、部屋の中にある第一側面と第一側面の反対側にある第二側面と、廃棄物容器とを含み、
キャビネットは、
第一側面に結合している第一ドアと、
第二側面に結合している第二ドアとを有し、
第一ドアは、患者の部屋の中から廃棄物容器を利用することを可能にする位置と、利用することを制限する位置とに移動可能であり、
第二ドアは、部屋の外から廃棄物容器を利用することを制限する位置と、利用することを可能にする位置とに移動可能である。
【０１０５】
本発明の更なる態様によると、
病院用ベッドを含む医療施設の中の用品を管理する方法であって、
その方法では、
患者医療用品を運ぶように構成された運搬引出しユニットを収納する空間を含むキャビネットを設けて、
複数の運搬引出しユニットを設けて、
各運搬引出しユニットに、移動引出しユニットを病院用ベッドに選択的に結合して病院用ベッドとともに搬送されるような特徴を設けることを含む。
【０１０６】
本発明に例示するこの態様によると、
運搬引出しユニットを収納できる空間を含むキャビネットを設けることは、
医療施設の部屋の第一側面と第一側面の反対側の第二側面とを有するキャビネットを設けて、
第一側面に、患者の部屋の中からキャビネットの中の用品容器を利用することを可能にする位置と、利用することを制限する位置とに移動可能な第一ドアを設けて、
第二側面に、部屋の外から用品容器を利用することを可能にする位置と、利用することを制限する位置とに移動可能な第二ドアとを設けることを含む。
【０１０７】
更に本発明に例示するこの態様によると、
複数の運搬引出しユニットを設けることは、患者医療用品を保持するための複数のコンパートメントをそれぞれが有する複数の運搬引出しユニットを設けることを含む。
【０１０８】
その上に本発明に例示するこの態様によると、
複数の運搬引出しユニットを設けることは、運搬引出しユニットをキャビネットに選択的に結合するための特徴をそれぞれ含む複数の運搬引出しユニットを設けることを含む。
【０１０９】
本発明に例示するこの態様によると、
運搬引出しユニットをキャビネットに選択的に結合するための特徴をそれぞれ含む複数の運搬引出しユニットを設けることは、運搬引出しユニットを病院用ベッドのフットボードに選択的に結合するための鉤状部分をそれぞれ含む複数の運搬引出しユニットを設けることを含む。
【０１１０】
更に本発明に例示するこの態様によると、
患者医療用品を搬送する運搬引出しユニットを収納する寸法を有する開口部を少なくとも一つ備える移動用品カートを設けることを更に含む。
【０１１１】
本発明に例示するこの態様によると、
各運搬引出しユニットに、運搬引出しユニットを移動用品カートに選択的に結合するための特徴を設けることを更に含む。
【０１１２】
本発明に例示するこの態様によると、
キャビネットを設けることは、
部屋に第一側面と第一側面の反対側に第二側面とを有するキャビネットを設け、
第一側面には、患者の部屋の中から廃棄物容器を利用することを可能にする位置と利用することを制限する位置とに移動可能な第一ドアを設けて、
第二側面には、部屋の外から廃棄物容器を利用することを可能にする位置と利用することを制限する位置とに移動可能な第二ドアを設けることを含む。
【０１１３】
本発明の別の態様によると、
医療施設の用品管理システムで使用する運搬引出しユニットであって、
運搬引出しユニットは、
患者医療用品を運ぶように構成されたハウジングと、
ハウジングの扱いを容易にするハンドルと、
運搬引出しユニットを病院用ベッドに選択的に結合する、病院用ベッドの一部に係合するように適応した特徴を少なくとも一つ含む。
【０１１４】
本発明に例示するこの態様によると、
ハウジングは、患者医療用品を保持するための複数のコンパートメントを形成する内壁を少なくとも一つ含む。
【０１１５】
更に本発明に例示するこの態様によると、
少なくとも一つのコンパートメントを選択的に閉じるようにハウジングにドアが結合されている。
【０１１６】
その上に本発明に例示するこの態様によると、
運搬引出しユニットの少なくとも一つの特徴は、運搬引出しユニットをキャビネットに結合するように、キャビネットに係合するのに適応している。
【０１１７】
本発明に例示するこの態様によると、
運搬引出しユニットの少なくとも一つの特徴は、運搬引出しユニットを移動用品カートに結合して移動用品カートを共に搬送するように、移動用品カートの一部に係合するのに適応している。
【０１１８】
本発明の別の態様によると、
医療施設の用品管理の方法であって、
その方法では、
患者医療用品を運ぶように構成された運搬引出しユニットを設け、
運搬引出しユニットに、運搬引出しユニットを病院用ベッドに選択的に結合するように、病院用ベッドの一部に係合するのに適応した特徴を少なくとも一つ設ける
ことを含む。
【０１１９】
本発明に例示するこの態様によると、
運搬引出しユニットを設けることは、患者医療用品を保持するための複数のコンパートメントを形成する内壁を少なくとも一つ含む運搬引出しユニットを設けることを含む。
【０１２０】
更に本発明に例示するこの態様によると、
運搬引出しユニットを設けることは、コンパートメントの少なくとも一つを選択的に閉じるためにドアを設けることを含む。
【０１２１】
更に本発明に例示するこの態様によると、
運搬引出しユニットに、病院用ベッドの一部に係合するのに適応した特徴を少なくとも一つ設けることは、
運搬引出しユニットに、運搬引出しユニットをキャビネットに結合するようにキャビネットに係合するのに適応した特徴を少なくとも一つ設けることを含む。
【０１２２】
本発明に例示するこの態様によると、
運搬引出しユニットに、病院用ベッドの一部に係合するのに適応した特徴を少なくとも一つ設けることは、
運搬引出しユニットに、運搬引出しユニットを移動用品カートに結合して運搬引出しユニットを運搬するために、移動用品カートに係合するのに適応した特徴を少なくとも一つ設けることを含む。
【０１２３】
本発明の更なる特徴は、現在認められている本発明を実施する最良の形態を例示する図示される実施例の下記の詳細な説明を検討することで、当業者には明確になるであろう。
【発明を実施するための最良の形態】
【０１２４】
＝＝＝図面の詳細な説明＝＝＝
図１から図４に示すように、患者の部屋１２には、患者に提供されるケアの効率を良くするために患者医療システム１０が設けられている。患者の部屋１２は、壁１４により廊下１６と区切られている。患者医療システム１０は、壁１４と協調して機能する規格型ワークセル２０を含む。規格型ワークセル２０は、手洗い部分３０と、用品及び廃棄物キャビネット部分５０と、データ通信部分７０とを含む。図１及び図２に例示するように、用品及び廃棄物キャビネット部分５０は手洗い部分３０に隣接して、データ通信部分７０は用品及び廃棄物キャビネット部分５０に隣接している。例示のワークセル２０の部分３０、５０、及び７０は互いに一体に形成されている。しかしながら、部分３０、５０、及び７０を個別に形成して、壁１４に結合させる、或いは留め具を用いてともに結合させることも本発明の開示の範囲内である。いずれの部分３０、５０、及び７０であっても他の部分と一緒に用い、或いはともに用いないこと、またそれらをどんな順番にも配置するか、或いは互いに離しておくこともまた、本発明の開示の範囲内である。
【０１２５】
図１及び図２に例示するように、規格型ワークセル２０は、部分３０と部分５０とが共用している後部壁２４を含む。後部壁２４は、出入り口２２が形成されている病室１２の壁１４に沿って延長している。図１に例示するように、天井パネル４０は後部壁２４の上端から直角に延長している。第一垂直壁４６は手洗い部分３０と用品及び廃棄物キャビネット部分５０とを分離し、第二垂直壁４８は用品及び廃棄物キャビネット部分５０とデータ通信部分７０とを分離する。各々の壁４６、４８は後部壁２４から直角に延長している。例示するように天井パネル４０は部分３０、５０、７０に共有されている。しかしながら、部分３０、５０及び７０の一つ以上から天井パネル４０を除き、後部壁２４及び／又は壁４６、４８を部屋１２の壁１４或いは天井１５に結合することは本発明の開示の範囲内である。
【０１２６】
図１に例示するように、手洗い部分３０は後部壁２４から延長しているカウンター或いは棚３２を含む。棚３２は後部壁２４と壁４６とに結合している。棚３２は、流し３４と、水栓３６と、温水と冷水を出したり止めたりする複数のハンドル３８とを含む。手洗い部分３０は、天井パネル４０に設けられた作業用ライト４２により照明される。例示するように、手洗い部分３０を、部屋１２の出入り口２２付近に配置することで、部屋１２へ入室したとき及び退室する前に手洗いをするように促す。
【０１２７】
用品及び廃棄物キャビネット部分５０は、壁２４、４６、４８に結合されてその間に延在している上棚５２を含む。上棚５２の下にある中棚５４及び中棚５４の下にある下棚５６は、同様に、壁２４、２６、４８に結合されている。第一空間５８は、棚５２と、天井パネル４０の一部と、壁４６、４８とに囲まれている。第二空間６０は、棚５２、棚５４、及び壁４６、４８に囲まれている。第三空間６２は、棚５４、下棚５６、及び壁４６、４８に囲まれている。リネン、薬品、包帯、消毒済み注射器などの用品（図示しない）を空間５８、６０に置くことができる。空間６２には、ごみ入れ、バスケット、または容器（図示しない）を設置することができる。図１に例示するように、用品及び廃棄物キャビネット部分５０は第二壁４８に結合されているドア５９、６１、６３を含み、ドアにより空間５８、６０、及び６２を選択的に閉止する。図５と図６とを参照して下記に詳細に説明されるように、本発明の開示の範囲内で、病室の壁１４と後部壁２４とにアクセス用開口を設け、係員は廊下から各々の空間５８、６０、６２を利用可能であるため、病室に入ることなく用品の配達及び廃棄物の回収ができる。
【０１２８】
図１及び図２に例示するように、データ通信部分７０は、側壁７２と、側壁７２と壁４８との間に直角に延長して結合されている前壁７４とを含む。例示するように、前壁７４は部屋１２に延在しており、ドア５９、６１、及び６３と概して同一平面上にあり、廊下１６にあるデータ通信部分７０に凹所７６を設けている。例示するように壁４８、７２、７４に囲まれている凹所７６により、介護者が廊下１６の通行を避けてデータ通信部分７０を使用することができる。側壁７２が部屋１２の壁であるか、規格型ワークセル２０に取り付けられた壁または／及びその一部として取り付けられた壁であるということも本発明の開示の範囲内である。
【０１２９】
図１から図４に例示するように、データ通信部分７０はプライバシー窓（privacy window）７８（例示するように液晶ディスプレイ或いはＬＣＤを組み込んでいる）を含み、患者或いは介護者により窓を透明から不透明に変えて、窓７８を通して見えなくなるようにする。壁７４の窓７８は、介護者が廊下１６から患者を観察したり、モニタなどの装置を見ることができる向きとされている。安全性、プライバシー、及びセキュリティのため、ＬＣＤの特徴の操作は、介護者、患者、或いは他の指定された人に制限することができる。アクセスを制限するシステムにＬＣＤを結合することにより、ＬＣＤの特徴の操作を制限することができる。システムは、例えば、窓を不透明或いは透明にさせるＬＣＤの特徴が作用する前に、セキュリティコード入力を要求することで制限することができる。
【０１３０】
図１に例示するように、データ通信部分７０は窓７８の下にある作業スツール８０を含む。例示される作業スツール８０は、壁７４に回動可能に取り付けられた三角形のフレーム８２と、フレーム８２に保持されるシート８４とを含む。通信部分７０は、部屋１２の中の前壁７４に結合された室内棚８６を含み、シェルフ８６は窓７８の下及びスツール８０の上に配置されている。廊下の棚８８は窓７８の下で前壁７４の外側に結合されて、凹所７６に延在している。
【０１３１】
図１から図４に例示するように、データ通信部分７０は、廊下の棚８８に回動可能に取り付けられた表示端末装置或いはモニタ９０を含む。モニタ９０は窓７８を通して見えるように配置されて、モニタを部屋に面する第一位置（図１に示す）と廊下に面する第二位置（図２から図４に示す）とに回転する回転台９２（rotating mount）を装備している。回転台９２は部屋１２の中、或いは廊下１６から動かすことができる。例示するように、回転台９２は第一滑車を含み、第一滑車は壁１４に設けられた開口を介して延長しているベルト９６で第二滑車９４に結合されている。クランク９８は第二滑車９４に結合されている。第一滑車９２及び第二滑車９４は、回転のため廊下の棚８８と室内棚８６とにそれぞれ結合されている。介護者がクランク９８を軸１００の周りで回転させると、ベルト９６が台９２を軸１０２の周りで回転させて、この回転がモニタ９０を回転させる。同じようなクランク腕を回転台９２に結合して、介護者がモニタ９０を廊下１６から回転させることもできる。モニタ９０を棚８８に結合して、モニタ９０に結合したスイッチ付き電気モータ等いずれかの適切な方法を使用して、モニタを棚８８に対して回動させることは本発明の開示の範囲内である。
【０１３２】
図１に例示するように、データ通信部分７０は、モニタ９０と通信する第一及び第二キーボード１０４、１０６を更に含む。キーボード１０４、１０６は部屋１２と廊下１６とにそれぞれ配置されて、モニタ９０と協力して、介護者或いは患者がデータベース、コンピュータ、或いはコンピュータネットワーク１０８と対話できるようにする。二画面コンピュータ端末１１０は、連接釣合わせ腕１１２により前壁７４に結合されている。例示するように、活動追跡センサ１１４は病室の天井に取り付けられているが、しかしながら、センサ１１４を天井パネル４０或いは規格型ワークセル２０の別の箇所に結合することも本発明の開示内である。センサ１１４は介護者が着用している通信バッジ１１６に信号を送信したり及びそこから信号を受信したりして、介護者の存在及び活動を追跡する。モニタ９０、キーボード１０４、１０６、端末１１０、センサ１１４、部分３０の手洗い装置、及び部分５０の空間５８及び６０での用品の存在を検知する複数の資産追跡センサ（図示しない）は、全て図１に例示する破線１０８で示される病院のデータベース、コンピュータ、或いはコンピュータネットワークに電気的に接続されている。端末１１０、キーボード１０４、１０６、及びモニタ９０を使用して、患者データを入力或いは検索したり、用品補給指示或いは廃棄物除去指示を手動入力したり、用品データを自動受信したり、及びそれに類した活動を実施できる。例示するように、端末１１０、キーボード１０４、１０６などの装置は、用品データ受信機を含むか、用品データ受信機となるか、用品データ受信機の一部となるか、用品データ受信機と通信して、手動入力装置或いは自動用品センサなどの用品データソースから用品データを受信することができる。手動入力装置は、キーボード、キーパッド、タッチスクリーン、音声システムなどを含み得る。自動用品センサは、近接センサ、用品の残量を測定する重量センサ、残りの品物或いは使用されたときに品物を記録するバーコードリーダなどを含むことができる。
【０１３３】
手洗い部分３０は監視装置（図示しない）をも含み、監視装置は、病室に入室した時や退室する直前などの適切な時に介護者が手洗いをしたかどうか監視するように作動する。手洗い監視装置は可聴式アラーム或いは可視アラームなどのアラーム信号を与えて、手洗い監視装置が、介護者が手洗いをしていないことを指示するパラメータを検知したときに介護者に手洗いをするように注意する。
【０１３４】
図５から図７には患者医療システム１０の別の態様が例示されている。図５に例示すように、規格型ワークセル２０は用品及び廃棄物部分の第二実施例を含み、病室の壁１４に形成された開口に配置されたキャビネット１２０を含む。キャビネット１２０は、患者の部屋１２ではキャビネット１２０の前部１２２から利用することができ、廊下１６ではキャビネット１２０の後部１２３から利用される。キャビネット１２０の上部分１２４（別名、スルー式ナースサーバ）は、第一運搬引出しユニット１２６を収納する空間を含む。図５に例示するように第二運搬引出しユニット１２８は移動用品カート１１８から取り外されて、廊下１６からキャビネット１２０の上部分１２４へ差し込まれるように準備されている。第一ユニット１２６が取り外されると、第二運搬引出しユニット１２８がキャビネット１２０の上部分１２４にあった第一運搬引出しユニット１２６を置き換える。第三運搬引出しユニット１３０は図５及び図７に図示されているが、病院用ベッド１３４のフットボード１３２に結合されている。このように配置すると、第三運搬引出しユニット１３０はベッド１３４と搬送されて、ベッド１３４と一緒に所望の用品を移動することができる。
【０１３５】
図７に示すように、各々の運搬引出しユニット１２６、１２８、１３０は複数の空間すなわちコンパートメント１３６を含み、コンパートメント１３６はリネン、薬品、包帯、消毒済みの注射器など様々な患者医療用品を収納する形状及び寸法を有する。運搬引出しユニット１２６、１２８、１３０は交換可能であり、移動用品カート１１８と、キャビネット１２０と、ベッド１３４との間で移動させることができる。運搬引出しユニット１２６、１２８、１３０がキャビネット１２０或いはフットボード１３２に結合されているときに、例えば、用品カート１１８に収納されている用品を使い、運搬引出しユニットに再供給することができる。所望であれば、用品が殆ど空な運搬引出しユニット１２６、１２８、１３０を、在庫補充された運搬引出しユニットと交換することができる。
【０１３６】
図５に例示するように、用品カート１１８は、運搬引出しユニットを補給する用品を保持するための標準的な引出しを保持する引出し用開口部１４６をいくつか含む。代わりに、運搬引出しユニット１２６、１２８、１３０は、引出し用開口部１４６に配置されるか、移動用品カート１１８の側面１５０に結合されている押しハンドル１４８に取り付けることができる。運搬引出しユニットは、供給室や薬局などの病院内の別の場所で用品を補充して、例えばカート１１８で病室１２に運搬することができる。
【０１３７】
図７に例示するように、各運搬引出しユニット１２６、１２８、１３０はハウジング１３７を含み、ハウジング１３７には上部保持ハンドル１３８と一対の保持器或いは後部ハンドル１４０とが結合されている。保持器１４０は、運搬引出しユニット１２６、１２８、１３０を、移動用品カート１１８、キャビネット１２０内、或いはベッド１３４のフットボード１３２に保持する。例示するように、保持器１４０はいくらか鉤状の部分１４２を含み、鉤状部分１４２は関連する運搬引出しユニット１２６、１２８、１３０がベッド１３４に取り付けられているときに、フットボード１３２の上端１４４に引っかけられる。保持器１４０はキャビネット１２０の上部分１２４と移動用品カート１１８のハンドル１４８と協力して、運搬引出しユニット１２６、１２８、１３０を所望の位置に保持する。例示するように複数のコンパートメント１３６はハウジング１３７に結合されている回転飛び出しドア（flip-out door）１３９を含み、回転飛び出しドア１３９は運搬引出しユニット１２６、１２８、１３０を動かすときその中に物品を保持する。
【０１３８】
図５に例示するように、キャビネット１２０は一対の廃棄物処理箱１６０と、関連する廃棄物処理箱１６０を開くために押し下げられる１セットのフットペダル１６２とを含む。各箱１６０は関連するフットペダル１６２が解除されたときに自動的に閉まるようにあらかじめ力が加えられ、キャビネット１２０の下部分１２５に引っ込むようになる。キャビネット１２０の上部分１２４には鋭利物品処理箱１６４が含まれる。使用済みの注射針、注射器などは後に処理されるように鋭利物品処理箱１６４に入れられる。箱１６０、１６４に入っている廃棄物は廊下１６のキャビネット１２０の裏側から取り出すことができ、その中身は処分のために搬送される。
【０１３９】
図６に例示するように、キャビネット１２０は壁１４に配置されて、廊下１６或いは部屋１２の中から利用することができる。キャビネット１２０の上部分１２４は、部屋１２の中から利用可能な第一ドア１９０と、廊下１６から利用可能な第二ドア１９２とを含む。ドア１９０、１９２は蝶番１９４で上部分１２４に移動可能に結合されて、キャビネット１２０の内側を利用可能にする開位置（破線で示す）と閉位置（実線で示す）とに動く。ドア１９０、１９２にロック（図示しない）を設けて、部屋１２の中や廊下１６から、或いはその両側から権限のない人がキャビネット１２０の中身にアクセスすることを防止する。本発明の開示の範囲内で、キャビネット１２０は追加のロック付き或いはロック無しのドアを含んで、鋭利物品処理品或いは他の廃棄物処分品を含んだキャビネット１２０の様々な部分を利用することを可能にして、キャビネット１２０の様々な部分を利用することを適当な病院の係員に制限することができる。図５に例示するように、作業ライト１９６は、運搬引出しユニット１２６、１２８、１３０を収納する空間の上のキャビネット１２０の上部分１２２に結合されている。図５及び図６に例示するように、キャビネット１２０は前部ドア１９０の下にある作業棚１９８を含む。
【０１４０】
図５に示すように、患者医療システム１０は壁１４に結合されているコンピュータ端末或いはタッチスクリーンモニタ１７０を更に含む。本発明の開示の範囲内で、端末１７０をキャビネット１２０に結合することができる。介護者はコンピュータ端末１７０を使用して、使用量或いは補給指示などの用品情報を入力する。本発明の開示の範囲内で、コンピュータ端末１７０がネットワークコンピュータシステムの一部となり、ネットワークコンピュータシステムは患者データの自動的な入力、記録、或いは監視を可能にすることができる。図示するように、端末１７０などの装置は、用品データ受信機を含むか、用品データ受信機となるか、用品データ受信機の一部となるか、用品データ受信機と通信することが可能であり、手動入力装置或いは自動用品センサなどの用品データソースから用品データを受信する。手動入力装置は、キーボード、キーパッド、タッチスクリーン、音声システムなどを含むことができる。自動用品センサは、近接センサ、用品の残量を測定する重量センサ、在庫に残っている品物や使われたときに品物を記録するバーコードリーダなどを含むことができる。
【０１４１】
図５に例示するように、患者医療システム１０は、医療施設の全体にわたって配置されている複数の移動用品カート１１８（図５には一つのみが示されている）を更に含む。各カート１１８は、カートハウジング１８０、ハウジング１８０に保持されるデータ入力及び管理ユニット１８４と、ハウジング１８０に保持される送信機／受信機ユニット１８２とを含む。データ入力及び管理ユニット１８４は、関連するカート１１８に供給される用品や取り出された用品の種類及び量などの用品管理データを記録して在庫管理に使用される。一実施例において、データ入力及び管理ユニット１８４は、受信機１８２から、患者の部屋１２で必要な用品に関する情報を保持する信号を受信する。供給する係員はこの情報を利用して適当な用品をカートに供給して、用品を部屋１２に配達することができる。例えば、介護者はモニタ１７０を用いて用品補給指示を出すことができる。指示の情報は、病院のコンピュータネットワーク（図示しない）につながっている病院のコンピュータ（図示しない）に送信される。ネットワークは必要な用品を保持している一つか一つ以上のカート１１８に信号を送信して、一つか一つ以上のカート１１８の係員に必要な用品を配達するように警告する。データ入力及び管理ユニット１８４は、スタンドアローンコンピュータか、代わりに、例えば、送信機及び受信機１８２に結合されているキーボード、バーコードリーダなどそれほど高度ではないものでも良い。
【０１４２】
本発明の開示の範囲内で、用品の情報をネットワークに自動的に或いは手動で入力することができる。用品データは、例えば特定の用品の存在或いは使用された用品の量を自動的に測定する装置などの自動用品センサを使用して、用品データ受信機に入力するか、用品データは手動入力装置に入力することができる。そのような用品データソースは、例えば、残りの用品或いは用品の使用を記録するバーコードリーダなどの走査システムと、残りの用品の量を検出する重量センサと、用品の使用或いは残りの用品の追跡をするためのキーボード或いはキーパッドなどの手動入力システムとを備えることができる。本発明の開示の範囲内で、用品に関するデータの交換、及び患者の状態に関するデータなどの交換は、コンピュータの無線の、光学式の、或いは有線のネットワークなどいかなる適切な方法によっても行うことができる。本発明の開示の範囲内で、カート１１８、端末１７０、データ入力及び管理ユニット１８４、運搬引出しユニット１２６、１２８、１３０、或いは他の装置に結合されているメモリに患者或いは用品データを記録して、その後都合の良い時にネットワークに接続してネットワークにデータを送信することができる。本発明の開示の範囲内で、送信機及び受信機ユニット１８２によってカート１１８及びカート１１８に積載された用品の位置を介護者に通知することもできる。
【０１４３】
図示した特定の実施例を参照して本発明を詳細に説明したが、添付の請求の範囲に記載され画定される本発明の範囲及び精神の内に、多数の変更例及び変形例が存在する。
【図面の簡単な説明】
【０１４４】
【図１】図１は、病室にある患者医療システムの部分斜視図を例示して、このシステムは手洗い部分と、用品及び廃棄物キャビネット部分と、データ通信部と、ネットワーク接続とを有する規格型ワークセルを含む。
【図２】図２は、図１の線２−２に概して沿った部分断面図を例示して、手洗い部分と、用品及び廃棄物キャビネット部分と、データ通信部分とを示し、患者がデータ通信部分の窓を通して通信して、介護者が部屋の外の廊下にあるモニタのキーボードを操作するところを示している。
【図３】図３は、凹所が形成されているデータ通信部分の部分斜視図と、キーボードとモニタとを支持している廊下の棚と、その凹所に配置された椅子とを示している。
【図４】図４は、図２の線４−４に概して沿った部分断面図を例示して、窓と、部屋のキーボードを支持する室内棚と、廊下の棚でモニタを支持してモニタを部屋に面する位置と廊下に面する位置とに回転移動する回転台とを含むデータ通信部を示し、回転台は部屋の第二滑車にベルトで作用可能に結合された滑車であり、部屋の中にいる人がモニタを回転できるように第二滑車にはクランク腕が設けられている。
【図５】図５は、部屋の中から及び部屋の外の廊下から利用可能なキャビネットと、用品を運び収納するための第一、第二、及び第三運搬引出しユニットと、標準的な引出し及び運搬引出しユニットで用品を運ぶ移動カートとの第二実施例の部分斜視図を例示している。
【図６】図６は、図５の線６−６に沿った部分断面図を例示して、図５のキャビネットの上部と、キャビネットの前部に結合されたドアと、キャビネットの後部に結合された第二ドアとを示す。
【図７】図７は、図５の線７−７に概して沿った部分断面図であり、病院用ベッドのフットボードに結合された第三運搬引出しユニットと、運搬引出しユニットをフットボードに結合する鉤状保持器と、用品を収納するための運搬引出しユニット内の複数のコンパートメントとを示す。
【図１】
2005514080.tif 000003
【図２】
2005514080.tif 000004
【図３】
2005514080.tif 000005
【図４】
2005514080.tif 000006
【図５】
2005514080.tif 000007
【図６】
2005514080.tif 000008
【図７】
2005514080.tif 000009
【国際調査報告】
2005514080.tif 000010
2005514080.tif 000011
2005514080.tif 000012